(57)【要約】【課題】  不慮の要因で電源プラグが電源コンセントから抜けても電源断アラームの通知を行うことができ、かつ保守状態を通知するための連絡手段を別途開発する必要がない無線装置の提供。【解決手段】  無線装置１０は、外部装置からの起動通知信号を検出する起動通知信号検出部３と、主電源の電圧４１、主電源が供給される電源コンセントと電源プラグの差込状態５３および起動通知信号検出部３における起動通知信号の検出の有無に応じて電源断アラームの判定を行う電源断アラーム判定部６とを含む。【選択図】      図１
2011100232.tif 000002
【特許請求の範囲】
【請求項１】
外部装置からの起動通知信号を検出する起動通知信号検出部と、
主電源の電圧、前記主電源が供給される電源コンセントと電源プラグの差込状態および前記起動通知信号検出部における前記起動通知信号の検出の有無に応じて電源断アラームの判定を行う電源断アラーム判定部とを含むことを特徴とする無線装置。
【請求項２】
前記主電源の電源供給が停止した場合に一定時間電源を供給するバックアップ電源を含むことを特徴とする請求項１記載の無線装置。
【請求項３】
前記電源断アラーム判定部は、前記主電源の電圧が所定値以下であり、前記電源プラグが前記電源コンセントから抜けており、かつ前記起動通知信号検出部にて前記起動通知信号が検出されない場合は、電源断アラームの通知が必要と判断することを特徴とする請求項１または２記載の無線装置。
【請求項４】
前記電源断アラーム判定部は、前記主電源の電圧が所定値以下であり、前記電源プラグが前記電源コンセントから抜けており、かつ前記起動通知信号検出部にて前記起動通知信号が検出された場合は、電源断アラームの通知が不要と判断することを特徴とする請求項１または２記載の無線装置。
【請求項５】
前記電源断アラーム判定部は、前記主電源の電圧が所定値以下であり、前記電源プラグが前記電源コンセントに挿入されている場合は、前記起動通知信号検出部における検出結果に関わらず電源断アラームの通知が必要と判断することを特徴とする請求項１または２記載の無線装置。
【請求項６】
前記起動通知信号の発信元を判別する発信元判別部を含み、前記電源断アラーム判定部は前記発信元判別部における発信元判別結果を含めて電源断アラームの判定を行うことを特徴とする請求項１から５のいずれかに記載の無線装置。
【請求項７】
前記電源断アラーム判定部は、前記主電源の電圧が所定値を超えており、かつ前記発信元判別部において発信元が本装置の代替装置ではないことが判明した場合、前記起動通知信号を電源断アラーム判別の条件としないことを特徴とする請求項６記載の無線装置。
【請求項８】
識別ＩＤ（Identification）の登録時に、外部通信網側の対向装置へ起動通知信号を発信する機能を含むことを特徴とする請求項１から７のいずれかに記載の無線装置。
【請求項９】
外部装置からの起動通知信号を検出する起動通知信号検出ステップと、
主電源の電圧、前記主電源が供給される電源コンセントと電源プラグの差込状態および前記起動通知信号検出ステップにおける前記起動通知信号の検出の有無に応じて電源断アラームの判定を行う電源断アラーム判定ステップとを含むことを特徴とする無線装置の電源断アラーム通知方法。
【請求項１０】
前記主電源の電源供給が停止した場合に一定時間電源を供給するバックアップ電源を前記無線装置に含むことを特徴とする請求項９記載の無線装置の電源断アラーム通知方法。
【請求項１１】
前記電源断アラーム判定ステップは、前記主電源の電圧が所定値以下であり、前記電源プラグが前記電源コンセントから抜けており、かつ前記起動通知信号検出ステップにて前記起動通知信号が検出されない場合は、電源断アラームの通知が必要と判断することを特徴とする請求項９または１０記載の無線装置の電源断アラーム通知方法。
【請求項１２】
前記電源断アラーム判定ステップは、前記主電源の電圧が所定値以下であり、前記電源プラグが前記電源コンセントから抜けており、かつ前記起動通知信号検出ステップにて前記起動通知信号が検出された場合は、電源断アラームの通知が不要と判断することを特徴とする請求項９または１０記載の無線装置の電源断アラーム通知方法。
【請求項１３】
前記電源断アラーム判定ステップは、前記主電源の電圧が所定値以下であり、前記電源プラグが前記電源コンセントに挿入されている場合は、前記起動通知信号検出ステップにおける検出結果に関わらず電源断アラームの通知が必要と判断することを特徴とする請求項９または１０記載の無線装置の電源断アラーム通知方法。
【請求項１４】
前記起動通知信号の発信元を判別する発信元判別ステップを含み、前記電源断アラーム判定ステップは前記発信元判別ステップにおける発信元判別結果を含めて電源断アラームの判定を行うことを特徴とする請求項８から１３のいずれかに記載の無線装置の電源断アラーム通知方法。
【請求項１５】
前記電源断アラーム判定ステップは、前記主電源の電圧が所定値を超えており、かつ前記発信元判別ステップにおいて発信元が本装置の代替装置ではないことが判明した場合、前記起動通知信号を電源断アラーム判別の条件としないことを特徴とする請求項１４記載の無線装置の電源断アラーム通知方法。
【請求項１６】
識別ＩＤ（Identification）の登録時に、外部通信網側の対向装置へ起動通知信号を発信するステップを含むことを特徴とする請求項９から１５のいずれかに記載の無線装置の電源断アラーム通知方法。
【請求項１７】
無線装置のコンピュータに、
外部装置からの起動通知信号を検出する起動通知信号検出ステップと、
主電源の電圧、前記主電源が供給される電源コンセントと電源プラグの差込状態および前記起動通知信号検出ステップにおける前記起動通知信号の検出の有無に応じて電源断アラームの判定を行う電源断アラーム判定ステップとを実行させるための無線装置の電源断アラーム通知方法のプログラム。
【発明の詳細な説明】
【技術分野】
【０００１】
本発明は、無線装置およびその電源断アラーム通知方法に関し、特にＰＨＳ（Personal Handyphone System）無線装置における電源断アラーム通知方法に関する。
【背景技術】
【０００２】
図１３は本発明に関連する無線装置の一例の構成図である。同図では無線装置の一例としてＰＨＳ無線装置を表示している。同図を参照すると、ＰＨＳ無線装置３０はＰＨＳ部１と、制御部２と、電源断アラーム判定部６と、電源監視部４と、プラグ状態監視部５とを含んで構成される。
【０００３】
ＰＨＳ部１はアンテナ２１および図示しない送受信部、表示部、記憶部等から構成される公知の部位である。電源断アラーム判定部６は電源監視部４から出力される主電源の電圧と、プラグ状態監視部５からの電源プラグが電源コンセントに差し込まれているか否かの情報を元に電源断アラームの判定を行う。
【０００４】
電源断アラーム判定部６は主電源の電圧が所定値以下であり、電源プラグが電源コンセントに差し込まれている場合は停電と判定して電源断アラームの通知が必要と判断し、主電源の電圧が所定値以下であり、電源プラグが電源コンセントから抜けている場合は装置３０が保守状態と判定して電源断アラームの通知が不要と判断している。
【０００５】
図１４および図１５はプラグ状態監視部５におけるプラグ状態監視方法の一例を示す図である。図１４は電源プラグ５１が電源コンセントから抜けている状態を示している。電源プラグ５１には識別スイッチ５２が設けられている。識別スイッチ５２は電源プラグ５１が電源コンセントから抜けている場合、電源プラグ５１から突出するよう構成されている（スイッチ・オフ状態）。
【０００６】
図１５は電源プラグ５１が電源コンセントに差し込まれている状態を示している。識別スイッチ５２は電源プラグ５１が電源コンセントに差し込まれている場合、電源プラグ５１の内部へ後退するよう構成されている（スイッチ・オン状態）。
【０００７】
そこで、プラグ状態監視部５はこの識別スイッチ５２の状態（オンまたはオフ）から電源プラグ５１が電源コンセントに差し込まれているか否かを判定している。
【０００８】
すなわち、図１４のように電源プラグ５１が電源コンセントから抜けている状態（オフ）で、主電源の電圧が所定値以下となった場合、電源断アラーム判定部６は装置が保守作業中であると判定して制御部２へ電源断アラームを通知しない。
【０００９】
これに対し、図１５のように電源プラグ５１が電源コンセントに差し込まれている状態（オン）で、主電源の電圧が所定値以下となった場合、電源断アラーム判定部６は停電と判定して制御部２へ電源断アラームを通知する。
【００１０】
一方、関連技術の一例が特許文献１に開示されている。これは警報装置に関する技術であり、操作パネルが開状態（保守時）で、主電源がオフの場合は通報を抑止し、操作パネルが閉状態（保守中ではない時）で、主電源がオフの場合は通報する、というものである。
【００１１】
また、関連技術の他の一例が特許文献２に開示されている。これは基地局のアラーム誤報防止装置に関する技術であり、電圧レベルが低下するとタイマーが起動し、タイムアウトする前に電圧レベルが復旧した場合はタイマーをリセットする、というものである。すなわち、このような短時間の電圧レベルの低下は電源の瞬断と判定しアラームを通知しない。
【００１２】
一方、電圧レベルが低下するとタイマーが起動し、タイムアウトしても電圧レベルが復旧しなかった場合は、電源の異常と判定しアラームを通知する。また、予備電源を備え、電圧低下時には主電源からこの予備電源に切り替える技術がこの特許文献２に開示されている。
【先行技術文献】
【特許文献】
【００１３】
【特許文献１】特開２００４−０４６３８９号公報
【特許文献２】特開平１０−１３５９０２号公報
【発明の概要】
【発明が解決しようとする課題】
【００１４】
しかし、図１３に記載のＰＨＳ無線装置３０では、主電源の電圧が所定値以下であり、電源プラグが電源コンセントから抜けている場合は装置３０が保守状態と判定している。したがって、不慮の要因（一例として、電源プラグの指し込みが不十分な場合、電源プラグの識別スイッチが故障の場合、あるいは装置接続工事ミスの場合）で電源プラグが電源コンセントから抜けても、電源断アラームの通知は行われないという欠点がある。
【００１５】
また、装置に保守状態であることを認識させるため、保守状態を通知するための連絡手段を別途開発する必要があるという欠点がある。一方、上記特許文献１および２のいずれもこのような課題を解決する手段は開示されていない。
【００１６】
そこで本発明の目的は、不慮の要因で電源プラグが電源コンセントから抜けても電源断アラームの通知を行うことができ、かつ保守状態を通知するための連絡手段を別途開発する必要がない無線装置およびその電源断アラーム通知方法を提供することにある。
【課題を解決するための手段】
【００１７】
前記課題を解決するために、本発明による無線装置は、外部装置からの起動通知信号を検出する起動通知信号検出部と、主電源の電圧、前記主電源が供給される電源コンセントと電源プラグの差込状態および前記起動通知信号検出部における前記起動通知信号の検出の有無に応じて電源断アラームの判定を行う電源断アラーム判定部とを含むことを特徴とする。
【００１８】
また、本発明による無線装置の電源断アラーム通知方法は、外部装置からの起動通知信号を検出する起動通知信号検出ステップと、主電源の電圧、前記主電源が供給される電源コンセントと電源プラグの差込状態および前記起動通知信号検出部における前記起動通知信号の検出の有無に応じて電源断アラームの判定を行う電源断アラーム判定ステップとを含むことを特徴とする。
【００１９】
また、本発明による無線装置の電源断アラーム通知方法のプログラムは、無線装置のコンピュータに、外部装置からの起動通知信号を検出する起動通知信号検出ステップと、主電源の電圧、前記主電源が供給される電源コンセントと電源プラグの差込状態および前記起動通知信号検出ステップにおける前記起動通知信号の検出の有無に応じて電源断アラームの判定を行う電源断アラーム判定ステップとを実行させるためのものであることを特徴とする。
【発明の効果】
【００２０】
本発明によれば、上記構成を含むことにより、不慮の要因で電源プラグが電源コンセントから抜けても電源断アラームの通知を行うことができ、かつ保守状態を通知するための連絡手段を別途開発する必要がない無線装置およびその電源断アラーム通知方法が得られる。
【図面の簡単な説明】
【００２１】
【図１】本発明に係る無線装置の動作原理を説明するための模式図である。
【図２】本発明に係る無線装置の電源断アラーム通知方法の原理を説明するためのフローチャートである。
【図３】本発明に係る無線装置の一例の構成図である。
【図４】本発明に係る無線装置の第１実施例の構成図である。
【図５】起動通知信号検出部３の一例の構成図である。
【図６】電源断アラーム判定部６における電源断アラームの判定条件を示す図である。
【図７】関連技術における電源断アラームの判定方法を示す図である。
【図８】関連技術における電源断アラームの判定方法を示す図である。
【図９】関連技術における電源断アラームの判定方法を示す図である。
【図１０】本発明における電源断アラームの判定方法を示す図である。
【図１１】本発明における電源断アラームの判定方法を示す図である。
【図１２】本発明に係る無線装置の第２実施例の構成図である。
【図１３】本発明に関連する無線装置の一例の構成図である。
【図１４】プラグ状態監視部５におけるプラグ状態監視方法の一例を示す図である。
【図１５】プラグ状態監視部５におけるプラグ状態監視方法の一例を示す図である。
【発明を実施するための形態】
【００２２】
まず、実施の形態の説明に入る前に、本発明の動作原理について説明する。図１は本発明に係る無線装置の動作原理を説明するための模式図である。同図を参照すると、本発明に係る無線装置１０は、外部装置からの起動通知信号を検出する起動通知信号検出部３と、主電源の電圧４１、主電源が供給される電源コンセントと電源プラグの差込状態５３および起動通知信号検出部３における起動通知信号の検出の有無に応じて電源断アラームの判定を行う電源断アラーム判定部６とを含んでいる。
【００２３】
起動通知信号検出部３は外部装置が起動した場合に、その外部装置から送信される起動通知信号を検出するためのものである。一方、無線装置１０が保守作業（交換等）に入る場合には新しく設置された無線装置１１の電源がオンされることに着目し、その無線装置１１から送信される起動通知信号の検出を電源断アラーム判定部６における判定条件に加えている。
【００２４】
すなわち、主電源の電圧４１が所定値以下であり、コンセントとプラグの挿抜状態５３が「抜け」であり、かつ起動通知信号検出部３にて起動通知信号が検出されない場合は、保守作業ではなく不慮の事故と推定されるため、電源断アラーム判定部６は電源断アラームの通知が必要と判断する。
【００２５】
これに対し、主電源の電圧４１が所定値以下であり、コンセントとプラグの差込状態５３が「挿入」であり、かつ起動通知信号検出部３にて起動通知信号が検出される場合は、保守作業であると推定されるため、電源断アラーム判定部６は電源断アラームの通知が不要と判断する。
【００２６】
以上説明したように本発明に係る無線装置によれば、不慮の事故でプラグがコンセントから抜けた場合に電源断アラームを通知することが可能となる。また、保守状態を通知するための連絡手段を別途開発する必要もない。
【００２７】
図２は本発明に係る無線装置の電源断アラーム通知方法の原理を説明するためのフローチャートである。同図を参照すると、本発明に係る無線装置の電源断アラーム通知方法は、外部装置からの起動通知信号を検出する起動通知信号検出ステップ（ステップＳ１）と、主電源の電圧、主電源が供給される電源コンセントと電源プラグの挿抜状態および起動通知信号検出ステップにおける前記起動通知信号の検出の有無に応じて電源断アラームの判定を行う電源断アラーム判定ステップ（ステップＳ２）とを含んでいる。
【００２８】
以上説明したように本発明に係る無線装置の電源断アラーム通知方法によれば、不慮の事故でプラグがコンセントから抜けた場合に電源断アラームを通知することが可能となる。また、保守状態を通知するための連絡手段を別途開発する必要もない。
【００２９】
以下、本発明の実施の形態について添付図面を参照しながら説明する。まず、第１の実施形態について説明する。図３は本発明に係る無線装置の一例の構成図である。なお、同図では無線装置の一例としてＰＨＳ無線装置を表示しているが、これに限定されるものではなく、送受信機能を備えた無線装置であれば、他の無線装置にも本発明の適用が可能である。
【００３０】
同図を参照すると、ＰＨＳ無線装置１０はＰＨＳ部１と、制御部２と、電源断アラーム判定部６と、保守信号検出部３１と、電源監視部４と、プラグ状態監視部５とを含んで構成される。
【００３１】
ＰＨＳ部１は送受信用アンテナ２１を備えており、外部と通信を行うための送受信部、表示部、記憶部等の図示しない公知の部位から構成されている。制御部２は電源断アラーム判定部６からの電源断アラーム判定結果の通知を受け取り、ＰＨＳ部１を介して外部装置に電源断アラームの通報を行う。
【００３２】
電源断アラーム判定部６は保守信号検出部３１の検出結果、電源監視部４およびプラグ状態監視部５の監視結果に基づき電源断アラームの判定を行う。保守信号検出部３１はＰＨＳ部１を介して外部装置から保守信号を検出する。
【００３３】
電源監視部４はＰＨＳ無線装置１０の主電源（一例として、ＡＣ１００Ｖの電源）の電圧を監視する。プラグ状態監視部５は図１４および図１５の説明で述べた識別スイッチ５２の状態（オンまたはオフ）から電源プラグ５１が電源コンセントに差し込まれているか否かを判定する。
【００３４】
電源断アラーム判定部６は、電源監視部４からの電源電圧低下情報を制御部２に対してアラーム通知する。ただし、サービスマンが意図して電源を落とした場合は異常状態ではないため電源断アラーム通知を行う必要がないので、本発明に関連する無線装置ではプラグ状態監視部５からの情報にて、装置交換時とそうでない場合の区別を行っている。
【００３５】
この関連技術では不慮の要因（一例として、電源プラグの指し込みが不十分な場合、電源プラグの識別スイッチが故障の場合、あるいは装置接続工事ミスの場合）によるプラグ抜けでも電源断アラームとはならなかったが、本発明では保守時に外部の他の装置から保守信号を発信させ、これを受信する保守信号検出部３１からの受信状態情報を電源断アラームの判定条件に加えている。
【００３６】
以上説明したように、本発明の第１の実施形態によれば、電源電圧情報、識別スイッチ情報および他局からの保守信号情報を組み合わせて電源断アラームを通知する構成であるため、不慮の要因で電源プラグが電源コンセントから抜けても電源断アラームの通知を行うことができ、かつ保守状態を通知するための連絡手段を別途開発する必要がない無線装置およびその電源断アラーム通知方法が得られる。
【００３７】
次に、第１実施例について説明する。図４は本発明に係る無線装置の第１実施例の構成図である。なお、同図において図３と同様の構成部分については同一番号を付し、その説明を省略する。
【００３８】
図４を参照すると、本発明に係るＰＨＳ無線装置２０は、ＰＨＳ部１と、制御部２と、起動通知信号検出部３と、電源断アラーム判定部６と、電源監視部４と、バックアップ（Ｂｕｐ）電源８と、スイッチ（ＳＷ）監視部１１と、プラグ抜け識別スイッチ（ＳＷ）５２と、ＡＣ（Alternating Circuit ）／ＤＣ(Direct Current)部７と、インタフェース（INF ）部９とを含んで構成される。さらに、ＰＨＳ無線装置２０は外部にユーザ端末７０およびＰＨＳ網８０を有している。
【００３９】
ＰＨＳ部１はアンテナ２１を含んでおり、このアンテナ２１およびＰＨＳ網８０を介して他の通信装置等と通信する。また、ユーザ端末７０はインタフェース（ＩＮＦ）部９を介して制御部２と通信する。なお、ＡＣ／ＤＣ部７は、ＡＣ電圧をＤＣ電圧に変換する公知の電圧変換部であり、入力されるＡＣ電源２２をＤＣ電源に変換する。
【００４０】
図３に記載のＰＨＳ無線装置１０では保守信号をアラーム判定条件としていたが、図４に記載のＰＨＳ無線装置２０では外部のＰＨＳ無線装置の起動通知信号で代替している。装置保守（一例として、交換）時には新しく設置されたＰＨＳ無線装置（すなわち、代替装置）の電源がオンされることに着目し、代替装置を起動したときの起動通知信号を電源断アラーム検出条件に加えている。
【００４１】
ＰＨＳ無線装置２０は、ユーザ端末７０からのデータをインタフェース部９を介して制御部２で受け、制御部２がＰＨＳ部１を制御してそのデータをＰＨＳ通信フォーマットに埋め込ませ、無線周波数に乗せてＰＨＳ網８０へデータ発信させる。
【００４２】
一方、ＰＨＳ網８０はＰＨＳ無線通信用の通信装置等で構成されるネットワークで、ＰＨＳ網８０に複数存在するＰＨＳ無線装置からの情報を収集するセンター局を含んでいる。ＰＨＳ無線装置２０は起動時に、最初に自装置２０の識別ＩＤ（Identification）を登録するため、ＰＨＳ網８０側の対向装置へ起動通知信号を発信する。これと同様の他のＰＨＳ無線装置からの起動通知信号を、ＰＨＳ網８０を介してＰＨＳ無線装置２０でもモニタできるように、本発明では起動通知信号検出部３を設けている。
【００４３】
次に、起動通知信号検出部３の構成について説明する。図５は起動通知信号検出部３の一例の構成図である。同図を参照すると、起動通知信号検出部３の一例は遅延回路（Delay ）３５と、パラレル／シリアル(P/S) 変換部３２と、デコード回路３３と、伝送ケーブル３４とを含んで構成される。
【００４４】
起動通知信号検出部３のパラレル／シリアル(P/S) 変換部３２は、フレームクロックを用いて受信データ（シリアルデータ）をパラレルデータに変換する。そのパラレルデータは伝送ケーブル３４を介してデコード回路３３へ入力される。デコード回路３３ではパラレルデータからコードデータ部が抽出され、予め定義された起動通知コードを検出したとき、電源断アラーム判定部６へ通知する。
【００４５】
一方、電源監視部４はＡＣ／ＤＣ部７から出力される電源電圧と、バックアップ電源８からの供給電圧のそれぞれについて監視を行い、電源電圧の低下を検出したとき電源断アラーム判定部６に通知する。
【００４６】
図４のスイッチ監視部１１と、プラグ抜け識別スイッチ５２とを含んで図３のプラグ状態監視部５が構成されている。スイッチ監視部１１はプラグ抜け識別スイッチ５２からのプラグ状態情報を電源断アラーム判定部６に通知する。プラグ抜け識別スイッチ５２は、プラグに取り付けられたプラグの挿抜状態を知るためのスイッチ状態を監視し、プラグ抜け識別スイッチ５２のオン／オフ情報をスイッチ監視部１１へ通知する。
【００４７】
電源断アラーム判定部６は、電源監視部４からの電源電圧低下情報と、スイッチ監視部１１からの情報に加えて、電源低下の検出から一定の時間の間（たとえば、６０秒等）に起動通知信号検出部３から受信信号が通知されないという条件を加えて、電源異常と判定した場合に制御部２に対して電源断アラームを通知する。
【００４８】
ＰＨＳ無線装置２０はＡＣ電源２２から電源供給を受けている。バックアップ電源８は、ＡＣ／ＤＣ部７からの電源供給が停止したとき、保守作業する一定時間の間（たとえば、６０秒間）装置２０が駆動するに十分な電源容量を貯える機能を有している。ユーザ端末７０は、ユーザが相手ＰＨＳ局に通知したい任意のデータをＰＨＳ無線装置２０へ転送する。
【００４９】
次に、電源断アラーム判定の動作について詳細に説明する。図６は電源断アラーム判定部６における電源断アラームの判定条件を示す図である。また、図７〜図１１は関連技術および本発明における電源断アラームの判定方法を示す模式図である。図７〜図９は関連技術における電源断アラームの判定方法を示し、図１０〜図１１は本発明における電源断アラームの判定方法を示している。
【００５０】
まず、図７〜図１０を参照して関連技術における電源断アラームの判定方法と本発明におけるその方法とを比較して説明する。
【００５１】
図７の関連技術の判定方法を参照すると、ＰＨＳ無線装置２０（便宜上、「旧」と表示してある）と、新ＰＨＳ無線装置１１０と、電源１１１と、センター局１２０とが表示されている。これは、ＰＨＳ無線装置２０が保守作業に入り、代替装置として新ＰＨＳ無線装置１１０が起動した例を示している。この場合、ＰＨＳ無線装置２０の電源プラグが抜けているが、この場合はＰＨＳ無線装置２０が保守作業中と判断されるため、電源断アラームは発信されない。
【００５２】
図８の関連技術の判定方法を参照すると、ＰＨＳ無線装置２０と、電源１２１と、センター局１２０とが表示されている。ＰＨＳ無線装置２０へ電源１２１が供給されない場合を示している。なお、電源プラグは電源コンセントに差し込まれている。この場合は停電と判断されるため、電源断アラームが発信される。
【００５３】
図９の関連技術の判定方法を参照すると、ＰＨＳ無線装置２０と、電源１２１と、センター局１２０とが表示されている。ＰＨＳ無線装置２０へ電源１２１が供給されず、かつ電源プラグが抜けている。この場合、不慮の要因で電源プラグが抜けている場合を示しているが、ＰＨＳ無線装置２０は図７の場合と同様に、保守作業中であるため電源プラグが抜けていると判断するため、電源断アラームは発信されない。すなわち、関連技術で、保守作業中なのか、あるいは不慮の事故が発生したのかを判別することができない。
【００５４】
図１０の本発明の判定方法を参照すると、ＰＨＳ無線装置２０と、新ＰＨＳ無線装置１１０と、電源１１１と、センター局１２０とが表示されている。これは、電源プラグが抜けたという情報に加え、起動通知を受信したかという情報を電源断アラームの判定条件に加えた場合を示している。同図ではＰＨＳ無線装置２０の電源プラグが抜けたという情報と、センター局１２０からの起動通知とを受信したので、ＰＨＳ無線装置２０は保守作業中であると判断され、電源断アラームの発信は停止される場合を示している。
【００５５】
図１１の本発明の判定方法を参照すると、ＰＨＳ無線装置２０と、電源１２１と、センター局１２０とが表示されている。これは、電源プラグが抜けたという情報に加え、起動通知を受信したかという情報を電源断アラームの判定条件に加えた場合を示している。同図ではＰＨＳ無線装置２０の電源プラグが抜けたという情報と、主電源の電圧が低下したという情報を受信したものの、センター局１２０からの起動通知は受信しなかったので、ＰＨＳ無線装置２０は不慮の事故が発生したと判断し、電源断アラームが発信される場合を示している。
【００５６】
次に、図６を参照して電源断アラーム判定部６における電源断アラームの判定動作について説明する。
【００５７】
１．主電源がオンで識別スイッチがオンの場合、電源断アラーム判定部６は通常運用と判断し、電源断アラームは不要と判断する。この場合、起動通知受信の有無の判断は不要である。
【００５８】
２．主電源がオンで識別スイッチがオフの場合、電源断アラーム判定部６はプラグの異常と判断し、電源断アラームは不要と判断する。この場合もまた、起動通知受信の有無の判断は不要である。
【００５９】
３．主電源がオフで識別スイッチがオンの場合、電源断アラーム判定部６は停電と判断し、電源断アラーム通知が必要と判断する。この場合もまた、起動通知受信の有無の判断は不要である。
【００６０】
４．主電源がオフで識別スイッチがオフで、かつ起動通知を受信した場合、電源断アラーム判定部６は保守と判断し、電源断アラームは不要と判断する。
【００６１】
５．主電源がオフで識別スイッチがオフで、かつ起動通知を受信しなかった場合、電源断アラーム判定部６は不慮の事故と判断し、電源断アラーム通知が必要と判断する。
【００６２】
以上説明したように、本発明の第１実施例によれば、起動通知信号検出部３と、図６に示すアラーム電源検出条件を有する電源断アラーム判定部６とを有するため、装置交換時の正常な電源オフと、装置工事ミス等が原因の電源オフとをより厳密に区別することが可能となる。
【００６３】
次に、第２実施例について説明する。図１２は本発明に係る無線装置の第２実施例の構成図である。なお、同図において図４と同様の構成部分については同一番号を付し、その説明を省略する。図１２を参照すると、本発明に係るＰＨＳ無線装置９０が図４の第１実施例と異なる点は、発信元ＩＤ判別部１５と、カウンタ部１３とを追加したことであり、その他の構成は図４の第１実施例と同様である。
【００６４】
第２実施例は、ＰＨＳ網８０側装置との最初の登録要求が受理されず起動通知を繰り返すＰＨＳ無線装置が、本装置９０の近傍に存在した場合、保守対象装置（代替装置）が発信する起動通知と区別できなくなる状態を回避することを目的としている。
【００６５】
発信元ＩＤ判別部１５は起動通知信号検出部３で受信したデータから発信元ＩＤを取り出す。カウンタ部１３は受信数を計数する。そして、起動通知信号検出部３で受信したデータから発信元ＩＤが取り出され、一定数以上の受信数を受けた場合は、その旨電源断アラーム判定部６へ通知される。
【００６６】
電源断アラーム判定部６は、電源監視部４からアラームが発生していない（主電源の電源低下が報告されていない）状態で、かつカウンタ部１３から通知を受信した場合は、発信元ＩＤ判別部１５から通知されたＩＤの起動通知信号は電源断アラームの判別条件にしない。
【００６７】
以上説明したように、本発明の第２実施例によれば、発信元ＩＤ判別部１５と、カウンタ部１３とを追加することにより、受信した起動通知信号が保守対象装置（代替装置）からのものであるか、あるいは近傍に存在する他のＰＨＳ無線装置からのものであるかを判別することが可能となる。
【００６８】
次に、本発明の第２の実施形態について説明する。第２の実施形態は無線装置の電源断アラーム通知方法のプログラムに関するものである。図１に示す電源断アラーム判定部６は、図示しないメモリに図２にフローチャートで示す無線装置の電源断アラーム通知方法のプログラムを格納している。
【００６９】
電源断アラーム判定部６（コンピュータ）は、このプログラムに従って、起動通知信号検出部３からの情報、主電源の電圧４１および電源コンセントと電源プラグの差込状態５３を参照し、電源断アラームの通知が必要か否かを判定する。
【００７０】
同様に、図３、図４および図１２に示す電源断アラーム判定部６もまた、図示しないメモリに図２にフローチャートで示す無線装置の電源断アラーム通知方法のプログラムを格納している。そして、図３、図４および図１２に対応する電源断アラーム判定部６の動作説明で述べたような方法で、電源断アラーム判定部６（コンピュータ）は電源断アラームの通知が必要か否かを判定する。
【００７１】
なお上記す電源断アラーム判定部６の動作の詳細は既に述べたので、ここでの説明は省略する。
【００７２】
以上説明したように、本発明の第２の実施形態によれば、不慮の要因で電源プラグが電源コンセントから抜けても電源断アラームの通知を行うことができ、かつ保守状態を通知するための連絡手段を別途開発する必要がない無線装置の電源断アラーム通知方法のプログラムが得られる。
【符号の説明】
【００７３】
１  ＰＨＳ部
２  制御部
３  起動通知信号検出部
４  電源監視部
５  プラグ状態監視部
６  電源断アラーム判定部
７  ＡＣ（Alternating Circuit ）／ＤＣ(Direct Current)部
８  バックアップ（Ｂｕｐ）電源
９  インタフェース（INF ）部
１０、２０、９０  ＰＨＳ無線装置
１１  スイッチ（ＳＷ）監視部
１３  カウンタ部
１５  発信元ＩＤ判別部
２１  送受信用アンテナ
２２  ＡＣ電源
３１  保守信号検出部
３２  パラレル／シリアル(P/S) 変換部
３３  デコード回路
３４  伝送ケーブル
３５  遅延回路（Delay ）
４１  主電源の電圧
５２  プラグ抜け識別スイッチ（ＳＷ）
５３  電源コンセントと電源プラグの差込状態
７０  ユーザ端末
８０  ＰＨＳ網
１１０  新ＰＨＳ無線装置
１１１、１２１  電源
１２０  センター局
【図１】
2011100232.tif 000003
【図２】
2011100232.tif 000004
【図３】
2011100232.tif 000005
【図４】
2011100232.tif 000006
【図５】
2011100232.tif 000007
【図６】
2011100232.tif 000008
【図７】
2011100232.tif 000009
【図８】
2011100232.tif 000010
【図９】
2011100232.tif 000011
【図１０】
2011100232.tif 000012
【図１１】
2011100232.tif 000013
【図１２】
2011100232.tif 000014
【図１３】
2011100232.tif 000015
【図１４】
2011100232.tif 000016
【図１５】
2011100232.tif 000017